(57)【特許請求の範囲】
【請求項１】
ケースに挿排可能に収納される表示画面部と、
前記表示画面部を回動可能に支持するとともに前記ケースに対し挿排方向にスライド可能に支持された可動支持部材と、
前記ケースと前記可動支持部材との間に介在するロック機構とを備え、
前記ロック機構は、前記表示画面部から操作力を受ける操作部材と、前記可動支持部材に変位可能に支持され前記ケースに対する前記可動支持部材の出没方向のスライド位置に応じて変位する応動変位部材とを有し、
前記ロック機構が、前記表示画面部が前記ケースの外部に排出された第１回動位置から引き起こされて第２回動位置をとるとき、前記ケースに対する前記可動支持部材のスライドをロックし、
前記操作部材が、前記表示画面が前記第２回動位置から前記引き起こされる方向と逆に倒れて前記第１回動位置をとるとき前記表示画面部から操作力を受け、前記表示画面部が前記第１回動位置をとるときには前記操作部材によって、前記ロック機構をロック解除状態とし、前記表示画面が前記第１回動位置から前記所定方向に引き起こされて前記第２回動位置をとるときには、前記ロック機構をロック状態とし、
前記応動変位部材が、前記ケースに対する前記可動支持部材の出没方向のスライド位置が所定の排出完了位置に達するまで、前記操作部材による前記ロック機構のロック操作を規制することを特徴とする収納式表示装置。
【請求項２】
ケースに挿排可能に収納される表示画面部と、
前記表示画面部を回動可能に支持するとともに前記ケースに対し挿排方向にスライド可能に支持された可動支持部材と、
前記ケースと前記可動支持部材との間に介在するロック機構とを備え、
前記ロック機構は、前記表示画面部から操作力を受ける操作部材と、前記可動支持部材に変位可能に支持され前記ケースに対する前記可動支持部材の出没方向のスライド位置に応じて変位する応動変位部材とを有し、
前記ロック機構が、前記表示画面部が前記ケースの外部に排出された第１回動位置から引き起こされて第２回動位置をとるとき、前記ケースに対する前記可動支持部材のスライドをロックし、
前記操作部材が、前記表示画面が前記第２回動位置から前記引き起こされる方向と逆に倒れて前記第１回動位置をとるとき前記表示画面部から操作力を受け、前記表示画面部が前記第１回動位置をとるときには前記操作部材によって、前記ロック機構をロック解除状態とし、前記表示画面が前記第１回動位置から前記所定方向に引き起こされて前記第２回動位置をとるときには、前記ロック機構をロック状態とし、
前記応動変位部材は、前記ケースに対する前記可動支持部材の出没方向のスライド位置が所定の排出完了位置に達するまで、前記表示画面部が前記所定方向に引き起こされるのを規制することを特徴とする収納式表示装置。
【請求項３】
前記操作部材により操作され、前記ケースに対し前記表示画面部が前記第２回動位置に引き起こされたことを検知する検知手段を設け、その検知手段の検知情報に基づいて、前記表示画面部の表示動作を可能にすることを特徴とする請求項１または請求項２に記載の収納式表示装置。
【請求項４】
前記可動支持部材と前記ケースの間に、前記表示画面部が前記ケースに対し出没するときその表示画面部をガイドするとともに前記排出完了位置を規定するガイドレールを設けたことを特徴とする請求項１または請求項２に記載の収納式表示装置。
【発明の詳細な説明】
【０００１】
【発明の属する技術分野】
本発明は、収納式表示装置に関し、特にコンパクトさが要求される車載用の表示装置に好適な収納式表示装置に係る。
【０００２】
【従来の技術】
従来、フラットな表示画面部（以下、モニタという）を、非使用時には収納ケース内に収納し、使用時にはその収納ケースから正面側に排出させて起立させ、画面表示動作を実行させるようにした車載用表示装置等が知られている。
【０００３】
この種の収納式表示装置においては、例えば装置本体のケースに対し前後にスライド可能なトレイを設けるとともに、そのトレイにモニタを回動可能にヒンジ結合しており、さらに、そのトレイを排出および収納する方向へのスライド動作並びにモニタ画面を車両の乗員の方に向けるディスプレイ回動動作を自動的に行う、いわゆる自動挿排機構が設けられている。
【０００４】
【発明が解決しようとする課題】
しかしながら、上記従来の収納式表示装置にあっては、モニタ収納スペースが制限される薄型の場合、例えばいわゆる１ＤＩＮデッキサイズのナビゲーション装置にディスクドライブと共に設置されるような場合に、自動挿排機構を設けると、コスト高のアクチュエータ類を採用し、かつ、高精度機構部品を用いた複雑な機構とならざるを得ないことから、コスト高や信頼性の低下を招くという問題があった。
【０００５】
これに対し、モニタの挿排動作、すなわち表示画面部をケース内に挿入したりケースから前方に排出させたりする動作を手動で行うことができるが、その場合、表示画面部の挿排中における水平姿勢保持と排出完了時のスライド機構のロックとをどのように行うかが重要になる。
【０００６】
そこで本発明は、表示画面部を手動で挿入および排出させることができ、しかも、モニタの挿排中における水平姿勢保持と排出完了時のスライド動作のロックを確実に行うことのできる低コストの収納式表示装置を提供するものである。
【０００７】
【課題を解決するための手段】
上記課題を解決するため、本発明に係る収納式表示装置は、ケースに挿排可能に収納される表示画面部と、前記表示画面部を回動可能に支持するとともに前記ケースに対し挿排方向にスライド可能に支持された可動支持部材と、前記ケースと前記可動支持部材との間に介在するロック機構とを備え、前記ロック機構は、前記表示画面部から操作力を受ける操作部材と、前記可動支持部材に変位可能に支持され前記ケースに対する前記可動支持部材の出没方向のスライド位置に応じて変位する応動変位部材とを有し、前記ロック機構が、前記表示画面部が前記ケースの外部に排出された第１回動位置から引き起こされて第２回動位置をとるとき、前記ケースに対する前記可動支持部材のスライドをロックし、前記操作部材が、前記表示画面が前記第２回動位置から前記引き起こされる方向と逆に倒れて前記第１回動位置をとるとき前記表示画面部から操作力を受け、前記表示画面部が前記第１回動位置をとるときには前記操作部材によって、前記ロック機構をロック解除状態とし、前記表示画面が前記第１回動位置から前記所定方向に引き起こされて前記第２回動位置をとるときには、前記ロック機構をロック状態とし、前記応動変位部材が、前記ケースに対する前記可動支持部材の出没方向のスライド位置が所定の排出完了位置に達するまで、前記操作部材による前記ロック機構のロック操作を規制するものである。
【０００８】
この収納式表示装置では、表示画面部が第１回動位置をとるときにはロック機構がロック解除状態となっているから表示画面部を挿入および排出方向に手動でスライドさせることができ、表示画面部が第１回動位置から所定方向に引き起こされた第２回動位置をとるときにはロック機構がロック状態となっているから表示画面を所定姿勢に保持することができる。しかも、ロック機構の動作が、表示画面部からの操作力を利用して、ケースに対する可動支持部材のスライド動作をロックするか否かの簡単なもので済み、簡素でコンパクトな挿排機構を備えたものにできる。さらに、所定の排出完了位置でのみ表示画面部の引き起こしが可能となり、スライド動作のロックがされる前に表示画面部の引き起こしがされるのを防止することができる。
【００１０】
また、本発明の収納式表示装置は、ケースに挿排可能に収納される表示画面部と、前記表示画面部を回動可能に支持するとともに前記ケースに対し挿排方向にスライド可能に支持された可動支持部材と、前記ケースと前記可動支持部材との間に介在するロック機構とを備え、前記ロック機構は、前記表示画面部から操作力を受ける操作部材と、前記可動支持部材に変位可能に支持され前記ケースに対する前記可動支持部材の出没方向のスライド位置に応じて変位する応動変位部材とを有し、前記ロック機構が、前記表示画面部が前記ケースの外部に排出された第１回動位置から引き起こされて第２回動位置をとるとき、前記ケースに対する前記可動支持部材のスライドをロックし、前記操作部材が、前記表示画面が前記第２回動位置から前記引き起こされる方向と逆に倒れて前記第１回動位置をとるとき前記表示画面部から操作力を受け、前記表示画面部が前記第１回動位置をとるときには前記操作部材によって、前記ロック機構をロック解除状態とし、前記表示画面が前記第１回動位置から前記所定方向に引き起こされて前記第２回動位置をとるときには、前記ロック機構をロック状態とし、前記応動変位部材は、前記ケースに対する前記可動支持部材の出没方向のスライド位置が所定の排出完了位置に達するまで、前記表示画面部が前記所定方向に引き起こされるのを規制するものである。この構成により、この収納式表示装置では、表示画面部が第１回動位置をとるときにはロック機構がロック解除状態となっているから表示画面部を挿入および排出方向に手動でスライドさせることができ、表示画面部が第１回動位置から所定方向に引き起こされた第２回動位置をとるときにはロック機構がロック状態となっているから表示画面を所定姿勢に保持することができる。しかも、ロック機構の動作が、表示画面部からの操作力を利用して、ケースに対する可動支持部材のスライド動作をロックするか否かの簡単なもので済み、簡素でコンパクトな挿排機構を備えたものにできる。さらに、前記可動支持部材のスライド位置が所定の排出完了位置に達するまで、前記表示画面部の引き起こしが応動変位部材によって規制されるので、スライド動作のロックがされる前に表示画面部の引き起こしがされるのを確実に防止することができる。
【００１１】
さらに、本発明の収納式表示装置は、好ましくは、前記操作部材により操作され前記ケースに対し前記表示画面部が前記第２回動位置に引き起こされたことを検知する検知手段を設け、その検知手段の検知情報に基づいて、前記表示画面部の表示動作を可能にするものである。この構成により、前記表示画面部が前記第２回動位置に引き起こされた後、即座に画面表示動作に移行できる。
【００１２】
本発明の収納式表示装置は、また、前記可動支持部材と前記ケースの間に、前記表示画面部が前記ケースに対し出没するときその表示画面部をガイドするとともに前記排出完了位置を規定するガイドレールを設けた構成とするのがよい。この構成により、表示画面部の挿排時の姿勢を所定姿勢に保持でき、しかも、その排出完了位置を明確に特定できる。
【００１３】
なお、前記ガイドレールが前記ケースに対してスライド可能に支持され、前記表示画面部と前記可動支持部材とが前記ケースから外部に排出された状態で前記ガイドレールにより保持されるようにすると、表示画面の引き起こし角度を広範囲に設定できる。
【００１４】
【発明の実施の形態】
以下、本発明の実施の形態を図面に基づいて説明する。
【００１５】
図１から図１０は本発明に係る収納式表示装置を示す図であり、本発明をカーナビゲーションシステムの収納式表示装置部分に適用した例を示している。
【００１６】
図４ないし図６に示すように、本実施形態の収納式表示装置１０は、正面側が開口した装置本体側ケース１１と、このケース１１に出没可能に収納される板状の表示画面部であるモニタ１２と、モニタ１２にヒンジ結合された可動支持部材としての板金製の小トレイ１３と、ケース１１内で小トレイ１３を前後にスライド可能に支持するとともに自らも所定のスライド範囲内でケース１１に対し前後にスライドするガイド部材としての大トレイ１５と、モニタ１２および小トレイ１３の間に介在し、モニタ１２を小トレイ１３に回動可能に支持するヒンジ装置１６とを備えている。また、この収納式表示装置１０は、モニタ１２にディスクドライブ２０を一体化したカーナビゲーションシステムとなっており、モニタ１２の前面下方側にはナビゲーションシステムとして使用するための押しボタンスイッチやジョグダイヤルスイッチ等といった公知の操作部１７が装着されている。
【００１７】
モニタ１２は、例えば液晶ディスプレイであり、モニタ１２および小トレイ１３は、それぞれ左右両側部でスライド式の大トレイ１５に前後にスライド可能に収納される収納位置と、その収納位置から前方にスライドし、モニタ１２の全体と小トレイ１３の前端部とが大トレイ１５およびケース１１から前方に突出する突出位置との間で移動する。すなわち、モニタ１２はケース１１に対して出没可能になっている。
【００１８】
また、モニタ１２は、図４および図５に示すように、手動で上方に引き起こすことができる一方、大トレイ１５内でスライドする水平方向回動位置（以下、第１回動位置という）から下方へは回動しないようになっており、その回動範囲が図４に示す最大引き起こし角度θの範囲内に制限されている。具体的には、モニタ１２は、大トレイ１５内をスライドするときの水平姿勢から所定の最大引き起こし位置までの角度範囲内で回動するようになっており、その最大引き起こし角度θは、例えば１２０度に設定されている。この最大引き起こし角度θは、モニタ１２および小トレイ１３の間に介在する左右一対のヒンジ装置１６によって規定されるようになっており、モニタ１２はその引き起こし角度範囲内のうち例えば９０度以上の所定の引き起こし角度となる位置（以下、第２回動位置という）にとなったときに使用可能となる。
【００１９】
小トレイ１３はモニタ１２を回動可能に支持する可動支持部材となっており、図６および図７に示すように、この小トレイ１３が両端部のローラ部１３ｒで大トレイ１５にスライド可能に支持され、ケース１１に対し出没する方向に移動できるようになっている。また、大トレイ１５自体もケース１１に対し左右両側のスライドガイド１８によってスライド可能に案内され、トレイ１１から前方への突出長さが所定値になる位置で、ケース１１に設けられた図示しないストッパに当接して停止するようになっている。ここで、大トレイ１５は外力のみによって移動する従動体である。
【００２０】
前記大トレイ１５およびスライドガイド１８は、小トレイ１３とケース１１の間に介在し、モニタ１２がケース１１に対し出没するときそのモニタ１２および小トレイ１３を前後方向にガイドするガイド手段を構成しており、このガイド手段はモニタ１２および小トレイ１３の排出完了位置を規定するようになっている。なお、スライドガイド１８によって大トレイ１５がケース１１に対してスライド可能に支持され、小トレイ１３とがケース１１から外部に排出された状態で大トレイ１５の左右ガイドレール部１５ａ、１５ｂ（図６参照）によって保持されるので、モニタ１２の引き起こし角度を広範囲に設定できるものとなる。
【００２１】
上述のように、大トレイ１５は左右のスライドガイド１８を介してケース１１内に前後方向のスライドが可能な状態で支持され、大トレイ１５はモニタ１２の引き起こしが可能な位置まで前方側にスライドさせることができるが、小トレイ１３は、大トレイ１５に対する前後方向のスライドによる移動範囲を規定されている。そして、モニタ１２を介して小トレイ１３が大トレイ１５の後端ストッパ部１５ｓ（図３参照）に当接する位置まで押し込まれると、モニタ１２および小トレイ１３と共に、大トレイ１５はケース１１内に押し込まれる。すなわち、これらモニタ１２および小トレイ１３と共に、大トレイ１５が、その前端位置とケース１１の前端位置とが揃う位置よりも、所定のオーバーストローク分だけケース１１内に押し込まれるようになっている。
【００２２】
そして、ケース１１内の奥側には図示しないロックカムおよび戻しばねを用いた収納側ロック機構が設けられており、モニタ１２および小トレイ１３と共に大トレイ１５が前記戻しばねに抗してケース１１内に所定のオーバーストローク分だけ余計に押し込まれたときには、その排出側ロック機構により小トレイ１３をケース１１内にロックし、この小トレイ１３を介してモニタ１２および大トレイ１５をもケース１１内に保持できるようになっている。
【００２３】
また、モニタ１２の水平時の前端部（起立時の上端部）がケース１１内に押し込まれ、大トレイ１５が前記オーバーストローク方向に再度押されると、前記収納側ロック機構のロックカムによる小トレイ１３のロックが解除される。そして、小トレイ１３および大トレイ１５の後端とケース１１との間には後述する排出方向への付勢手段が設けられており、小トレイ１３のロックが解除されたときには、ユーザによるモニタ１２の引き起こし操作、あるいは引き出し操作および引き起こし操作ができる位置まで、モニタ１２および小トレイ１３が前方側に排出されるようになっている。
【００２４】
一方、小トレイ１３とケース１１との間には、モニタ１２がケース１１の外部に突出した状態で所定方向に引き起こされたとき、ケース１１に対する小トレイ１３の前後方向のスライド動作をロックし、モニタ１２が後退するのを規制することができる排出側ロック機構３０が介在している。
【００２５】
図１ないし図３に示すように、排出側ロック機構３０は、モニタ１２が小トレイ１３のスライド方向に倒れて第１回動位置をとるときにモニタ１２から操作力を受ける、操作部材としてのロックばね３１を有している。この操作部材３１は、モニタ１２が第１回動位置をとるときには排出側ロック機構３０をロック解除状態に操作し、モニタ１２が第１回動位置から所定方向に引き起こされた第２回動位置をとるときには排出側ロック機構３０をロック状態に操作するようになっている。
【００２６】
具体的には、排出側ロック機構３０は、図７から図９に示すように、小トレイ１３の前端側中央の開口部１３ｈ付近にねじ締結された板ばね材からなる前記ロックばね３１を有し、さらに、小トレイ１３に所定範囲内で左右方向にスライド変位可能に支持された応動変位部材としての横スライド板３２と、横スライド板３２を常時変位方向の一方側、例えば図７中の左側に付勢する引張ばね３３と、小トレイ１３に回動自在に支持された円板形の基端部３４ａおよびそこから突出する先端部３４ｂを有する左右一対の回動アーム３４Ｌ、３４Ｒと、横スライド板３２をガイドする一対のガイドスタッド３５ａ、３５ｂと、両ガイドスタッド３５ａ、３５ｂに装着されたＥリング３６ａ、３６ｂ等を含んで構成されている。
【００２７】
ここで、回動アーム３４Ｌ、３４Ｒのそれぞれの先端部３４ｂには、ケース１１の天板部に形成された図示しないカム溝に係合するスライドピン３４ｃが装着されている。また、回動アーム３４Ｌ、３４Ｒのそれぞれの基端部３４ａには、所定回動半径となる位置に係合ピン３４ｄが装着されており、これら係合ピン３４ｄは横スライド板３２の前後方向に延びる縦ガイド溝３２ｇに係合している。そして、回動アーム３４Ｌ、３４Ｒは、小トレイ１３が前後方向にスライドするときにはそのスライド位置に応じて、係合ピン３４ｄを介し横スライド板３２を左右方向に変位させることができる。また、回動アーム３４Ｌ、３４Ｒは、小トレイ１３が奥まで押し込まれるとき、横スライド板３２を介して引張ばね３３を最大に引っ張り、前記収納側ロック機構による小トレイ１３のロックに際して、小トレイ１３の排出のためのばね力（弾性エネルギ）を蓄えさせる機能も有している。
【００２８】
横スライド板３２は、ケース１１に対する小トレイ１３の出没方向のスライド位置が図４ないし図６に示す所定の排出完了位置に達するまで、ロックばね３１による排出側ロック機構３０のロック操作を規制するようになっている。そして、小トレイ１３の出没方向のスライド位置が所定の排出完了位置に達すると、図１、図８および図９に示すように、ロックばね３１のロック爪部３１ａが横スライド板３２のロック穴部３２ａに落ち込むようになっている。そのため、ロックばね３１のロック爪部３１ａは、横スライド板３２側に常時付勢されるよう所定量撓んだ状態で取り付けられている。
【００２９】
また、横スライド板３２は、変位方向の一方側、例えば図７中の左側に突出するロック片部３２ｂを有しており、このロック片部３２ｂは小トレイ１３が前記排出完了位置に達するとき、大トレイ１５側に形成された図示しない嵌合穴部に挿入され、小トレイ１３の大トレイ１５に対する後退を規制するようになっている。
【００３０】
なお、図７中の横スライド板３２には設けられていないが、図１０に示すように、横スライド板３２からモニタ１２側に向かって突出し、小トレイ１３の一部、例えば図８に示すガイド溝１３ｃを貫通する突片部３２ｃを設けることができる。その場合、小トレイ１３が所定の排出完了位置に達するまで横スライド板３２の突片部３２ｃをモニタ１２側に係合させ、排出完了位置に達すると、この突片部３２ｃがモニタ１２と係合しなくなるようにしておき、モニタ１２が前記所定方向に引き起こされるのを突片部３２ｃによって規制することができる。
【００３１】
また、図示していないが、排出側ロック機構３０には、ロックばね３１のロック爪部３１ａにより操作され、ケース１１に対しモニタ１２が前記第２回動位置に引き起こされたことを検知するスイッチ等の検知手段が設けられており、その検知手段の引き起こし検知情報に基づいて、図示しない表示制御回路でモニタ１２の表示動作を可能にするようになっている。
【００３２】
次に、本実施形態の収納式表示装置の動作について説明する。
【００３３】
まず、ケース１１内に水平に収納されたモニタ１２の前端部に、ケース１１の内方側に押し込む力が加えられると、大トレイ１５が前記オーバーストローク分のストローク範囲で後退するとともに、前記ロックカムによる小トレイ１３のロックが解除され、モニタ１２がユーザーによる引き起こし操作が可能な位置まで前方に排出される。なお、ケース１１は車両のインストルメントパネル等に埋め込まれているので、前方に排出されたモニタ１２は引き起こし操作が可能な状態でインストルメントパネル等から突出した状態となる。
【００３４】
このとき、モニタ１２は、第１回動位置をとるときの後端上面部、すなわち起立時の下端背面部１２ｃで、ヒンジ装置１６の回動軸線より後方において、小トレイ１３のストッパ片部１３ｓおよびロックばね３１のロック爪部３１ａ近傍の係合片部３１ｂに当接しており、モニタ１２の前端が下降する方向の回動が規制されている。
【００３５】
したがって、モニタ１２は略水平の第１回動位置をとることになり、排出側ロック機構３０はロック解除状態となっているから、モニタ１２を排出方向に手動でスライドさせる引き出し操作ができる。
【００３６】
そして、モニタ１２および小トレイ１３が排出完了位置に達すると、横スライド板３２の突片部３２ｂが大トレイ１５の一部に係合して、小トレイ１３の大トレイ１５に対するスライドが規制される仮のロック状態となる。
【００３７】
次いで、モニタ１２を上方に引き起こし、所望の姿勢で、例えば引き起こし角度９０度以上の画面姿勢で停止させる。このとき、モニタ１２が第１回動位置から所定方向に引き起こされると、ロックばね３１のロック爪部３１ａが横スライド板３２のロック穴部３２ａに落ち込み、横スライド板３２の移動が規制されることで、排出側ロック機構３０が完全なロック状態となる。したがって、モニタ１２の引き起こし角度が大きくなり、小トレイ１３に後退側への操作力が加わるとき、小トレイ１３のスライド動作は確実にロックされた状態となっており、モニタ１２を所定姿勢に操作することができる。
【００３８】
次いで、モニタ１２はヒンジ装置１６の回動抵抗によって所望の位置に保持される。また、モニタ１２を最大引き起こし位置まで引き起すと、ヒンジ装置１６の図示しないストッパが効く。
【００３９】
上述のように、本実施形態においては、排出側ロック機構３０の動作は、モニタ１２からの操作力を利用してロックばね３１のロック爪部１３ａ側の片持ち腕部分のたわみ量を変化させ、横スライド板３２を介しケース１１に対する小トレイ１３のスライド動作をロックするか否かの簡単なもので済み、簡素でコンパクトな挿排機構を備えた収納式表示装置にできる。
【００４０】
また、モニタ１２および小トレイ１３が排出完了位置に達するまでは、小トレイ１３が大トレイ１５に対してスライド可能であるため、事実上、所定の排出完了位置でのみモニタ１２の引き起こしが可能となり、スライド動作のロックがされる前にモニタ１２の引き起こしがされるのを防止することができる。さらに、小トレイ１３のスライド位置が所定の排出完了位置に達するまで、モニタ１２の引き起こしを図１０に示したような横スライド板３２の突片部３２ｃによって規制するようにすれば、スライド動作のロックがされる前にモニタ１２の引き起こしがされるのを確実に防止することができる。
【００４１】
また、本実施形態においては、ロックばね３１により操作されてケース１１に対しモニタ１２が第２回動位置に引き起こされたことを検知する前記検知手段を設けることにより、その引き起こし検知情報に基づいて、モニタ１２が第２回動位置に引き起こされたときには、即座に操作部１７による操作を可能として、画面表示動作に移行することができる。
【００４２】
さらに、小トレイ１３とケース１１の間に、モニタ１２がケース１１に対し出没するときそのモニタ１２をガイドするとともに前記排出完了位置を規定するガイドレール部１５ａ、１５ｂを有する大トレイ１５を設けているので、モニタ１２の挿排時の姿勢を所定姿勢に保持できるとともに、その排出完了位置を明確に特定することができる。しかも、大トレイ１５のガイドレール部１５ａ、１５ｂがケース１１に対してスライド可能に支持され、モニタ１２と小トレイ１３とがケース１１から外部に排出された状態で、大トレイ１５のガイドレール部１５ａ、１５ｂにより保持されるので、モニタ１２の引き起こし角度を広範囲に設定することができる。
【００４３】
なお、本実施形態では、収納式表示装置をカーナビゲーションシステムの収納式表示装置に適用したものとしたが、本発明は設置スペースの制約がある他の車載用機器あるいは車載用機器以外のものにも適用できる。
【００４４】
【発明の効果】
本発明によれば、表示画面部が引き起こされるときその可動支持部材のスライドをロックするロック機構に、表示画面部から操作力を受ける操作部材を設けて、ロック機構のロック状態を切り替え操作するようにしているので、表示画面部を手動で挿入および排出させることができ、しかも、モニタの挿排中における水平姿勢保持と排出完了時のスライド動作のロックを確実に行うことができ、スライド動作のロックがされる前に表示画面部の引き起こしがされるのを防止することができる収納式表示装置を提供することができるものである。
【図面の簡単な説明】
【図１】本発明に係る収納式表示装置の一実施形態を示すそのモニタ引き起こし状態での要部側面断面図
【図２】本発明に係る収納式表示装置の一実施形態を示すそのモニタ挿排時姿勢での要部側面断面図
【図３】本発明に係る収納式表示装置の一実施形態を示すそのモニタ挿排時姿勢での要部側面図
【図４】本発明に係る収納式表示装置の一実施形態を示すその側面図
【図５】本発明に係る収納式表示装置の一実施形態を示すその正面図
【図６】本発明に係る収納式表示装置の一実施形態を示すその要部平面図
【図７】（ａ）本発明に係る収納式表示装置のロック機構を示すその小トレイの下面図
（ｂ）本発明に係る収納式表示装置の小トレイの上面図
【図８】本発明に係る収納式表示装置のロック機構を示すその小トレイの一部破砕した正面図
【図９】図８に示した小トレイの要部拡大正面図
【図１０】本発明に係る収納式表示装置の収納時のアーム回動位置を示すその小トレイの上面図
【符号の説明】
１０    収納式表示装置
１１    装置本体側ケース
１２    モニタ（表示画面部）
１３    小トレイ（可動支持部材）
１３ｃ    ガイド溝
１３ｓ    ストッパ片部
１５    大トレイ
１５ａ、１５ｂ    ガイドレール部（ガイドレール）
１６    ヒンジ装置
１７    操作部
１８    サイドガイド
３０    排出側ロック機構
３１    ロックばね
３１ａ    ロック爪部
３２    横スライド板
３２ａ    ロック穴部
３２ｂ    ロック片部
３２ｃ    突片部
３３    引張ばね
３４ａ    基端部
３４ｂ    先端部
３４Ｌ、３４Ｒ    回動アーム
３５ａ、３５ｂ    ガイドスタッド
【図１】
0004219572.tif 000002
【図２】
0004219572.tif 000003
【図３】
0004219572.tif 000004
【図４】
0004219572.tif 000005
【図５】
0004219572.tif 000006
【図６】
0004219572.tif 000007
【図７】
0004219572.tif 000008
【図８】
0004219572.tif 000009
【図９】
0004219572.tif 000010
【図１０】
0004219572.tif 000011